(57)【要約】【課題】複数の画像を繋いで長尺の放射線画像を得る放射線画像撮影装置において、繋ぎ目の濃度段差が目立たない、品質の高い長尺の放射線画像を容易に取得する。【解決手段】同一の放射線源１０と、同一の放射線像検出器１５とを用いて、被写体Ｍ中の隣接する複数の領域を順次放射線撮影して得た複数の画像を合成して被写体Ｍの全体を表す長尺の放射線画像を得る際に、撮影条件取得部８２により、放射線撮影の撮影条件を取得し、撮影可能範囲取得部８４により、各放射線撮影における長尺方向の撮影可能幅を上記撮影条件から求め、割付部８６により、各放射線撮影における撮影幅が上記撮影可能幅以下となるように撮影対象とする被写体Ｍ中の複数の領域の割り付けを行う。【選択図】図１
2010094497.tif 000002
【特許請求の範囲】
【請求項１】
同一の放射線源と、同一の放射線像検出器とを用いて、被写体中の隣接する複数の領域を順次放射線撮影して得た複数の画像を合成して前記被写体の全体を表す長尺の放射線画像を得る放射線画像撮影装置であって、
前記各放射線撮影の撮影条件を取得する撮影条件取得手段と、
各放射線撮影における前記長尺方向の撮影可能幅を前記撮影条件から求める撮影可能範囲取得手段と、
各放射線撮影における前記長尺方向の撮影幅が前記撮影可能幅以下となるように、撮影対象とする前記被写体中の複数の領域の割り付けを行う割付手段とを備えたことを特徴とする放射線画像撮影装置。
【請求項２】
前記撮影条件が、撮影距離であることを特徴とする請求項１記載の放射線画像撮影装置。
【請求項３】
前記撮影条件が、放射線源から発せられる放射線の線量であることを特徴とする請求項１または２記載の放射線画像撮影装置。
【請求項４】
前記撮影条件が、前記放射線源の管球の焦点サイズであることを特徴とする請求項１から３のいずれか１項記載の放射線画像撮影装置。
【請求項５】
前記撮影条件が、前記放射線源の管球ターゲットの材質であることを特徴とする請求項１から４のいずれか１項記載の放射線画像撮影装置。
【請求項６】
前記撮影可能範囲取得手段は、前記放射線源の管球から発せられる放射線束のうちヒール効果による照射ムラの最も小さい放射線束部分が前記被写体中の各領域へ照射されるときの前記撮影可能幅を求めるものであることを特徴とする請求項１から５のいずれか１項記載の放射線画像撮影装置。
【請求項７】
前記放射線源の管球の向きを変更するための管球首振手段を備えたものであることを特徴とする請求項６記載の放射線画像撮影装置。
【請求項８】
同一の放射線源と、同一の放射線像検出器とを用いて、被写体中の隣接する複数の領域を順次放射線撮影して得た複数の画像を合成して前記被写体の全体を表す長尺の放射線画像を得る放射線画像撮影方法であって、
前記放射線撮影の撮影条件を取得し、
各放射線撮影における前記長尺方向の撮影可能幅を前記撮影条件から求め、
各放射線撮影における前記長尺方向の撮影幅が前記撮影可能幅以下となるように撮影対象とする前記被写体中の複数の領域の割り付けを行うことを特徴とする放射線画像撮影方法。
【発明の詳細な説明】
【技術分野】
【０００１】
本発明は、放射線画像撮影方法および装置に関し、詳しくは、被写体中の隣接する複数の領域を順次放射線撮影して得た複数の画像を合成してこの被写体の全体を表す長尺の放射線画像を得る放射線画像撮影方法および装置に関するものである。
【背景技術】
【０００２】
従来より、Ｘ線等の放射線を被写体へ通して検出しこの被写体を表す放射線画像を得る装置が知られている。
【０００３】
このような、装置に用いられる放射線検出器として、ＦＰＤ（Flat Panel Detector）が知られている。このＦＰＤは、被写体を通った放射線を検出して電気信号に変換しその被写体の放射線像を表す画像信号を出力するものである。このＦＰＤを用いた放射線画像撮影装置は、放射線撮影を行った後、直ぐに（数秒後に）被写体の放射線画像を表す画像信号を出力することができる。
【０００４】
また、ＦＰＤを被写体中の隣接する複数の領域へ順次移動させて放射線撮影を行い、各放射線撮影で得られた複数の画像を合成して被写体の全体を表す長尺の放射線画像、例えば全脊椎画像や全下肢画像を得る放射線画像撮影装置が知られている。
【０００５】
このような、長尺の放射線画像を得る放射線撮影には、放射線源の位置を固定し、１つのＦＰＤを順次移動させつつ各放射線撮影毎にその放射線源の向きをＦＰＤの方向へ向けるように設定して各放射線撮影を行う方式が知られている。すなわち、放射線源から発せられる放射線の放射範囲中の特定の範囲をＦＰＤに向けて各放射線撮影を行う方式が知られている。
【０００６】
この方式には、例えば、ＦＰＤを順次移動させて行う放射線撮影毎に、放射線源の管球から発せられる放射線の放射範囲の中心を通る放射中心軸がＦＰＤの中心部を通るように放射線源の位置と向きを定めて行うものが知られている。
【０００７】
また、被写体の位置に対し、放射線源の位置およびＦＰＤの位置を順次平行移動させつつ、すなわち、放射線源とＦＰＤとの相対的な位置関係を変更することなく各放射線撮影を行う方式も知られている。
【０００８】
ところで、放射線源から発せられる放射線は、管球の陰極側の方が陽極側の方よりも放射線強度が大きくなるため、陰極側と陽極側の境界となる上記放射中心軸に対して非対称な強度分布を有している。このような非対称な強度分布が生じる現象はヒール効果と呼ばれている。
【０００９】
このような強度分布による放射線の照射ムラは、長尺の放射線画像を得るための各放射線撮影で照射する放射線にも認められる。そのため、例えば、上下方向に長尺となる放射線画像を得るときの各放射線撮影で得られる各画像の上縁部から下縁部に亘って濃度分布が生じる。その結果、例えば、放射線撮影で得られる特定の画像の下縁部とこの特定の画像の下方に隣接する他の画像の上縁部との間に濃度差が生じて、特定の画像と隣接する他の画像との境界に濃度の段差（以後、濃度段差という）が生じてしまうことがある。
【００１０】
すなわち、放射線撮影で得られた複数の画像を合成して被写体の全体を表す長尺の放射線画像を得る場合に、合成された画像間の繋ぎ目に濃度段差が生じてしまうことがある。
【００１１】
そのような場合には、例えば、濃度段差を補正するための放射線撮影を別途行って得られた補正データを用いた画像処理によりそのような濃度段差を抑制する方式（特許文献１参照）が知られている。また、例えば、放射線技師等の持つ経験値から、１回の放射線撮影で撮影対象とする領域の上縁部から下縁部までの距離を短くするように、すなわち、被写体中の各領域の長尺方向における幅（撮影幅）を小さくするように設定して放射線撮影を行うことにより濃度段差を抑制することも考えられる。
【先行技術文献】
【特許文献】
【００１２】
【特許文献１】特開２００６−１４１９０５号公報
【発明の概要】
【発明が解決しようとする課題】
【００１３】
しかしながら、上記濃度段差を画像処理によって補正する方式は、補正用データを得るための放射線撮影を別途行うので撮影の負担が大きくなるという問題がある。また、放射線技師等の持つ経験値に頼って放射線撮影の設定を変更する方式では、画像間の繋ぎ目の濃度段差を所望のレベル以下にすること（繋ぎ目における画像間の濃度差を十分に目立たないようにすること）ができないことがある。
【００１４】
そのため、長尺の放射線画像を取得する際の放射線撮影の負担を増大させることなく上記合成された画像間の繋ぎ目に生じる濃度段差をより確実に目立たないようにしたいという要請がある。
【００１５】
本発明は、上記事情に鑑みてなされたものであり、繋ぎ目の濃度段差が目立たない、品質の高い長尺の放射線画像を容易に取得することができる放射線画像撮影方法および装置を提供することを目的とするものである。
【課題を解決するための手段】
【００１６】
本発明の放射線画像撮影装置は、同一の放射線源と、同一の放射線像検出器とを用いて、被写体中の隣接する複数の領域を順次放射線撮影して得た複数の画像を合成して被写体の全体を表す長尺の放射線画像を得る放射線画像撮影装置であって、各放射線撮影を行うときの撮影条件を取得する撮影条件取得手段と、各放射線撮影における長尺方向の撮影可能幅を撮影条件から求める撮影可能範囲取得手段と、各放射線撮影における長尺方向の撮影幅が撮影可能幅以下となるように、前記放射線撮影の撮影対象とする被写体中の複数の領域の割り付けを行う割付手段とを備えたことを特徴とするものである。
【００１７】
この放射線画像撮影装置は、同一の放射線源と、同一の放射線像検出器とを用いて、被写体中の隣接する複数の領域を順次放射線撮影して得た複数の画像を合成して被写体の全体を表す長尺の放射線画像を得る放射線画像撮影装置であって、放射線撮影を行うときの撮影条件を取得する撮影条件取得手段と、この撮影条件下での前記順次放射線撮影によって得られる長尺の放射線画像について、この長尺の放射線画像を構成する各画像間の繋ぎ目にヒール効果による濃度段差が現われないようにするための、前記各放射線撮影における長尺方向の撮影可能幅を前記放射線撮影に対応する撮影条件から求める撮影可能範囲取得手段と、各放射線撮影における長尺方向の撮影幅が前記放射線撮影に対応する前記撮影可能幅以下となるように、前記放射線撮影の撮影対象とする被写体中の複数の領域の割り付けを行う割付手段とを備えたものとすることができる。
【００１８】
前記撮影条件は、撮影距離としたり、放射線源から発せられる放射線の線量としたり、放射線源の管球の焦点サイズとしたり、放射線源の管球ターゲットの材質としたりすることができる。
【００１９】
前記撮影可能範囲取得手段は、放射線源の管球から発せられる放射線束のうちヒール効果による照射ムラの最も小さい放射線束部分が被写体中の各領域へ照射されるときの撮影可能幅を求めるものとすることが望ましい。
【００２０】
前記放射線画像撮影装置は、放射線源の管球の向きを前記長尺方向に変更するための管球首振手段を備えたものとすることが望ましい。
【００２１】
本発明の放射線画像撮影方法は、同一の放射線源と、同一の放射線像検出器とを用いて、被写体中の隣接する複数の領域を順次放射線撮影して得た複数の画像を合成して被写体の全体を表す長尺の放射線画像を得る放射線画像撮影方法であって、放射線撮影を行うときの撮影条件を取得し、各放射線撮影における長尺方向の撮影可能幅を撮影条件から求め、各放射線撮影における長尺方向の撮影幅が撮影可能幅以下となるように前記放射線撮影の撮影対象とする被写体中の複数の領域の割り付けを行うことを特徴とするものである。
【００２２】
この放射線画像撮影方法は、同一の放射線源と、同一の放射線像検出器とを用いて、被写体中の隣接する複数の領域を順次放射線撮影して得た複数の画像を合成して被写体の全体を表す長尺の放射線画像を得る放射線画像撮影方法であって、放射線撮影を行うときの撮影条件を取得し、この撮影条件下での前記順次放射線撮影によって得られる長尺の放射線画像について、この長尺の放射線画像を構成する各画像間の繋ぎ目にヒール効果による濃度段差が現われないようにするための、各放射線撮影における前記長尺方向の撮影可能幅を前記放射線撮影に対応する撮影条件から求め、各放射線撮影における長尺方向の撮影幅が前記放射線撮影に対応する前記撮影可能幅以下となるように前記放射線撮影の撮影対象とする被写体中の複数の領域の割り付けを行うものとすることができる。
【発明の効果】
【００２３】
本発明の放射線画像撮影方法および装置によれば、各放射線撮影の撮影条件を取得し、各放射線撮影毎の長尺方向の撮影可能幅を撮影条件から求め、各放射線撮影における長尺方向の撮影幅が上記撮影可能幅以下となるように撮影対象とする被写体中の複数の領域の割り付けを行うようにしたので、長尺の放射線画像を構成する各画像の繋ぎ目の濃度段差が目立たない、品質の高い長尺の放射線画像を容易に取得することができる。
【００２４】
すなわち、所定の撮影条件から被写体に照射する放射線の強度分布を正確に予想することができ、所定の撮影条件下での順次放射線撮影によって得られる長尺の放射線画像を構成する画像間の繋ぎ目にヒール効果による濃度段差が現われないようにするための各放射線撮影毎の長尺方向の撮影可能幅をその放射線撮影に対応する撮影条件から正確に求めることができる。そして、各放射線撮影における撮影幅がその放射線撮影対応する撮影可能幅以下となるように定めて各放射線撮影を行うことにより、長尺の放射線画像を構成する各画像に対して画像処理等を別途施す等のことなく、各画像の繋ぎ目に生じる濃度段差を所望のレベル以下まで目立たなくすることができる。
【００２５】
また、撮影条件を、撮影距離としたり、放射線源から発せられる放射線の線量としたり、管球の焦点サイズとしたり、あるいは管球ターゲットの材質としたりすれば、各放射線撮影毎の長尺方向の撮影可能幅をより確実に求めることができる。
【００２６】
また、前記撮影可能範囲取得手段を、放射線源の管球から発せられる放射線束のうちヒール効果による照射ムラの最も小さい放射線束部分が被写体中の各領域へ照射される場合の撮影可能幅を求めるものとすれば、より確実に各画像の繋ぎ目の濃度段差が目立たない長尺の放射線画像を取得することができる。
【００２７】
さらに、放射線源の管球の向きを長尺方向に変更するための管球首振手段を備えるようにすれば、より確実に各画像の繋ぎ目の濃度段差が目立たない長尺の放射線画像を取得することができる。
【００２８】
なお、撮影幅を、撮影可能幅の範囲内で最も大きくなるように定めれば、撮影対象とする領域を不要に小さくして長尺の放射線画像を得るための撮影回数を増大させることがなく、上記放射線撮影を効率良く実施することができる。
【図面の簡単な説明】
【００２９】
【図１】本発明の実施の形態による放射線画像撮影装置の概略構成を示す図
【図２】管球ターゲットから発せられる放射線の様子を示す図
【図３】管球ターゲットからの放射線照射を受けた領域の放射線強度分布を示す図
【図４】管球の焦点サイズの違いに起因する照射ムラの大きさの差を示す図
【図５】管球ターゲットの材質の違いに起因する照射ムラの大きさの差を示す図
【図６】４回撮影において放射線検出面上に照射される放射線強度分布を示す図
【図７】３回撮影において放射線検出面上に照射される放射線強度分布を示す図
【図８】１回の撮影において放射線検出面上に照射される放射線強度分布を示す図
【図９】４回の放射線撮影で得た長尺の放射線画像と３回の放射線撮影で得た長尺の放射線画像とを比較した様子を示す図
【図１０Ａ】放射中心軸を検出面に対して直交させた状態で管球から発せられた放射線束を検出したときの強度分布を示す図
【図１０Ｂ】放射中心軸を検出面に対して傾斜させた状態で管球から発せられた放射線束を検出したときの強度分布を示す図
【発明を実施するための形態】
【００３０】
以下、本発明の実施の形態について、図面を用いて説明する。図１は本発明の実施の形態による放射線画像撮影方法を実施するための放射線画像撮影装置の一例を示す概略構成を示す概念図である。
【００３１】
図１に示す本発明の放射線画像撮影装置１００は、同一の放射線源１０と、同一の放射線像検出器１５とを用いて、被写体Ｍ中の隣接する複数の領域Ｍ１、Ｍ２・・・を順次放射線撮影して得た複数の画像を合成して被写体Ｍの全体を表す長尺の放射線画像を得るものである。
【００３２】
この放射線画像撮影装置１００は、放射線撮影の撮影条件を取得する撮影条件取得部８２と、この撮影条件下での順次放射線撮影によって得られる長尺の放射線画像について、その長尺の放射線画像を構成する各画像間の繋ぎ目（境界）にヒール効果による濃度段差が現われないようにするための、各放射線撮影毎の長尺方向（図中矢印Ｙ方向）の撮影可能幅をその放射線撮影に対応する撮影条件から求める撮影可能幅取得部８４と、各放射線撮影における長尺方向の撮影幅がその放射線撮影に対応する撮影可能幅以下となるように、放射線撮影の撮影対象とする被写体Ｍ中の複数の領域Ｍ１、Ｍ２・・・の割り付け（フレーム割付け）を行う割付部８６とを備えている。
【００３３】
撮影条件取得部８２は、放射線撮影の撮影条件として、撮影距離のデータを取得したり、放射線源１０から発せられる放射線の線量のデータを取得したり、放射線源１０の有する管球１０Ｋの焦点サイズのデータを取得したり、放射線源１０に配された管球ターゲットの材質を示すデータを取得したりするものである。
【００３４】
この放射線画像撮影装置１００は、放射線Ｈを発する放射線源１０と、放射線Ｈを検出する放射線像検出器１５と、放射線像検出器１５を被写体Ｍに沿って移動させる検出器移動部２０と、放射線源１０を配置する線源配置部２５とを備えている。放射線像検出器１５は、放射線源１０から発せられ被写体Ｍを通った放射線Ｈの照射を受けてこの放射線Ｈの強度分布を検出する放射線検出面１６を有するものである。
【００３５】
放射線像検出器１５は、被写体Ｍを透過した放射線を検出して電気信号に変換しその被写体Ｍの放射線像を表す画像データを出力するＦＰＤ（Flat Panel Detector）を採用することができる。このＦＰＤは、放射線撮影の後、直ぐに（数秒後に）被写体Ｍの放射線画像を表す画像データを出力することができるものである。
【００３６】
検出器移動部２０は、床面５Ｆから鉛直方向（図中矢印Ｙ方向）に起立する２つの支柱２１間に放射線像検出器１５を保持するとともに、この放射線像検出器１５を長尺方向である支柱２１の延びる鉛直方向（上下方向）に移動させる移動機構２２を備えている。移動機構２２は、放射線像検出器１５を従来より知られているリニアスライド機構等で支持しモータ等の駆動源を用いて移動させるものとすることができる。
【００３７】
長尺の放射線画像を取得する放射線撮影を実施するときに、被写体Ｍは、放射線像検出器１５の移動方向に沿って（図中矢印Ｙ方向に沿って）配置される。すなわち、被写体Ｍを床面に起立させた姿勢にして各放射線撮影が行なわれる。
【００３８】
線源配置部２５は、被写体Ｍを間に挟んで放射線像検出器１５の放射線検出面１６に対向するように（図中矢印Ｚ方向に対向するように）放射線源１０を保持し移動させるものである。この線源配置部２５は、天井５Ｅから鉛直方向に延びる支柱２６と、この支柱２６を天井５Ｅに沿って上記対向方向に（図中矢印Ｚ方向に）移動させる天井ベース台２７と、支柱２６に係合されて、鉛直方向（図中矢印Ｙ方向）へ移動可能であるとともに、紙面に垂直な軸（図中Ｙ-Ｚ平面に垂直なＸ軸に平行な軸）の回り（自身の回り）に回転可能な回転台２８とを有している。
【００３９】
この回転台２８上に放射線源１０が配置されており、放射線源１０は、線源配置部２５により、上下方向（図中矢印Ｙ方向）および左右方向（図中矢印Ｚ方向）に移動可能であるとともに、放射線源１０の略中心を通る図中のＸ軸に平行な軸の周りに回転台２８を介して回転可能である。
【００４０】
さらに、管球首振部１９が、放射線源１０に配された管球１０Ｋの向きを長尺方向（図中矢印Ｙ方向）に沿って変更させる。ここで、管球首振部１９は、管球１０Ｋの向きを放射線源１０本体に対して変更させるものである。
【００４１】
上記線源配置部２５や管球首振部１９を動作させる機構は、従来より知られているリニアスライド機構や回転機構、およびモータ等の駆動源を用いて形成することができる。
【００４２】
また、この放射線画像撮影装置１００は、検出器移動部２０により放射線像検出器１５を被写体Ｍの延びる方向（長尺方向）に沿って放射線撮影を行うための各撮影位置Ｐ１，Ｐ２・・・へ順次移動させるとともに、順次移動させた各位置において、放射線源１０から発せられる放射線Ｈの照射方向が放射線検出面１６の方向を向くように線源配置部２５により放射線源１０を配置させ、各位置毎に被写体Ｍ中の隣接する領域Ｍ１、Ｍ２・・・の放射線撮影が行われるように制御する長尺撮影制御部８８と、上記各放射線撮影毎に得られた各画像部分を合成して被写体Ｍの全体を表す長尺の放射線画像を得る画像合成部３５と、画像合成部３５で合成された長尺の放射線画像を表示する表示器６０とを備えている。
【００４３】
撮影対象とする被写体Ｍ中の複数の領域Ｍ１、Ｍ２・・・の割り付けを行う割付部８６には、撮影可能幅取得部８４から撮影可能幅を示す撮影幅情報Ｊ２が入力されるとともに、撮影条件取得部８２から撮影条件を示す撮影条件情報Ｊ１が入力され、各画像部分の繋ぎ目が目立たない長尺の放射線画像が得られるように、各放射線撮影の際の撮影幅や撮影位置Ｐ１、Ｐ２・・・等を割り付けるための割付情報Ｊ３を出力する。
【００４４】
なお、割付部８６は、撮影可能幅取得部８４から、撮影条件情報Ｊ１および撮影幅情報Ｊ２を入力するものとしてもよい。
【００４５】
ここで割付部８６から出力された割付情報Ｊ３は、長尺撮影制御部８８に入力されて、この長尺撮影制御部８８が、割付情報Ｊ３に基づいて各放射線撮影毎の放射線源１０の位置や姿勢および放射線検出器１５の位置等を定めるように各部を制御する。
【００４６】
なお、長尺撮影制御部８８は、割付部８６から各放射線撮影の際の撮影幅や撮影位置等に関するデータを入力し、その撮影幅や撮影位置等に応じて、放射線源１０の管球１０Ｋの向きをも制御するものである。
【００４７】
なお、コンソール７０には、被写体Ｍに関する被写体情報や長尺の放射線画像を得るための撮影条件が入力され、それらの情報は撮影条件取得部８２や長尺撮影制御部８８等に出力される。
【００４８】
また、長尺の放射線撮影を行う放射線画像撮影装置１００の全体の動作および各動作のタイミング等は、コンソール７０によってコントロールされる。なお、上記撮影条件取得部８２、撮影可能幅取得部８４、割付部８６、長尺撮影制御部８８、画像合成部３５等は、コンソール７０内に配置するようにしてもよい。
【００４９】
＜ヒール効果による放射線の照射ムラについて＞
図２は、放射線源１０に配置された放射線を発する管球１０Ｋの内部を示すものであり、電子銃Ｅｒによる電子の照射を受けた管球ターゲットＴｒから発せられる放射線の様子を示す図である。図３は、横軸Ｒに放射線を検出する検出面上の位置、縦軸Ｅに検出された放射線の強度を定めた座標軸上に、管球ターゲットＴｒから発せられる放射線の照射を受けた領域の強度分布を示す図である。
【００５０】
図２に示すように、電子銃Ｅｒによる電子の照射を受けた管球ターゲットＴｒから、すなわち放射線源１０の管球１０Ｋから発せられる放射線束φＨは、この放射線束φＨの中心を通る放射中心軸Ｃｒを中心に放射状に放射範囲が広がって検出面Ｓｒ上を照射する。位置Ｒ４は、放射中心軸Ｃｒと交わる検出面Ｓｒ上の位置である。この位置Ｒ４を中心に検出面Ｓｒ上の図中矢印−方向の側に放射線が到達する位置Ｒ３，Ｒ２、Ｒ１が等間隔で示されており、図中矢印＋方向の側に放射線が到達する位置Ｒ５，Ｒ６、Ｒ７が等間隔で示されている。
【００５１】
検出面Ｓｒで検出される放射線の強度の１例として、例えば、放射中心軸Ｃｒ上の位置Ｒ４において検出される放射線強度を値１００（単位は省略）とすると、図中矢印−方向の陰極側の位置Ｒ３，Ｒ２、Ｒ１それぞれにおいて値１０３，１０５，９５となる。一方、図中矢印＋方向の陽極側の位置Ｒ５，Ｒ６、Ｒ７それぞれにおいて値８５，７３，３１となる。
【００５２】
なお、図３は、上記各位置Ｒ１〜Ｒ７における放射線強度をプロットして、検出面Ｓｒ上に照射される放射線の強度分布の概略を示したものである
図２、３に示すように放射線源から放射される放射線束φＨは、放射中心軸Ｃｒに対して非対称な強度分布を有するものとなる。この放射線束φＨの照射ムラはヒール効果によって生じたものである。このヒール効果は、管球の陰極側（図中矢印−方向の側、位置Ｒ１の側）の方が、陽極側（図中矢印＋方向の側、位置Ｒ７の側）の方よりも放射線強度が大きくなる非対称な強度分布を生じさせる。なお、放射中心軸Ｃｒは上記陰極側と陽極側の境界に位置している。
【００５３】
ここで、位置Ｒ７に到達する放射線は、位置Ｒ1に到達する放射線よりも管球ターゲットＴｒ内を通過するときの距離が長く放射線の吸収が大きくなるため、上記位置Ｒ1に到達する放射線よりも大きな放射線強度の減衰を示す。
【００５４】
なお、ヒール効果による放射線の照射ムラの大きさは、例えば、照射ムラの検出対象となる範囲が検出面Ｓｒ上の位置Ｒ１からＲ７に亘る範囲であるときには、位置Ｒ１と位置Ｒ７との放射線強度の差（値９５−値３１＝値６４）として定めることができる。
【００５５】
＜管球の焦点サイズの違いによる撮影可能範囲の差について＞
図４は、横軸Ｒに放射線を検出する検出面上の位置、縦軸Ｅに検出された放射線の強度を示す座標軸上に、管球の焦点サイズの違いに起因したヒール効果による放射線の照射ムラの大きさの差を示した図である。なお、上記と同様に放射中心軸Ｃｒにおける放射線の強度を値１００として各位置における放射線強度を示している。
【００５６】
図４に示すように、焦点サイズが大きい管球Ｋｂから発せられる放射線の照射を受けた陽極側（図中矢印＋方向の側）の領域における放射線強度の減衰は、焦点サイズが小さい管球Ｋｓから発せられる放射線の照射を受けた陽極側（図中矢印＋方向の側）の領域における放射線強度の減衰よりも小さい。一方、陰極側（図中矢印＋方向の側）の領域においては焦点サイズの違いにかかわらず放射線強度は略一定である。すなわち、焦点サイズが大きい管球Ｋｂの照射ムラは、焦点サイズが小さい管球Ｋｓの照射ムラよりも小さい。
【００５７】
したがって、撮影条件である管球の焦点サイズに関し、管球の焦点サイズが小さいほどヒール効果による放射線の照射ムラが大きくなるので、撮影可能幅取得部８４は、管球の焦点サイズが小さいほど撮影可能幅を小さく定める。
【００５８】
＜管球ターゲットの材質の違いによる撮影可能範囲の差について＞
図５は、横軸Ｒに放射線を検出する検出面上の位置、縦軸Ｅに検出された放射線の強度を示す座標軸上に、管球ターゲットの材質の違いに起因したヒール効果による放射線の照射ムラの大きさの差を示した図である。なお、図５は上記と同様に放射中心軸Ｃｒにおける放射線の強度を値１００として各位置における放射線強度を示している。
【００５９】
図示のように、モリブデン材料を管球ターゲットに用いた放射線源から発せられる放射線の陽極側（図中矢印＋方向の側）における放射線強度Ｍｏの減衰は、タングステン材料を管球ターゲットに用いた放射線源から発せられる放射線の陽極側（図中矢印＋方向の側）における放射線強度Ｗの減衰よりも大きい。一方、陰極側（図中矢印＋方向の側）においては管球ターゲットの違いにかかわらず放射線強度は略一定である。
【００６０】
したがって、撮影条件である放射線源の管球ターゲットの材質に関し、陽極側の放射線束を使用するときには、撮影可能幅取得部８４は、タングステンを管球ターゲットに適用するときの撮影可能幅の大きさをモリブデンを管球ターゲットに適用するときの撮影可能幅の大きさよりも小さく定める。また、陰極側の放射線束を使用するときには、撮影可能幅取得部８４は、タングステンを管球ターゲットに適用するときの撮影可能幅の大きさとモリブデンを管球ターゲットに適用するときの撮影可能幅の大きさとを同等の大きさに定める。
【００６１】
＜放射線量の違いによる撮影可能範囲の差について＞
撮影条件である放射線源から発せられる放射線の線量に関し、放射線の線量が大きいほどヒール効果による放射線の照射ムラの大きさが大きいので、撮影可能幅取得部８４は、放射線の線量が大きいほど撮影可能幅を小さく定める。
【００６２】
すなわち、例えば管電圧が変化して放射線源から発せられる放射線の線量の大きさが変動しても、この放射線を放射線検出器で検出したときの放射線強度分布は殆ど変動しない。しかしながら、このような線量の異なる放射線を用いて得られた２種類の画像を目視で比較したときには、線量の大きな放射線の照射を受けて得られた画像のコントラストは高くなり、線量の小さな放射線の照射を受けて得られた画像のコントラストは上記大きな線量を受けて得られた画像のコントラストよりも低くなる。そのため、撮影可能幅取得部８４は、放射線源から発せられる放射線の線量が大きいほど撮影可能幅を小さく定める。
【００６３】
＜撮影距離の違いによる撮影可能範囲の差について＞
撮影条件である撮影距離に関し、撮影可能幅取得部８４は、撮影距離が小さいほど撮影可能幅を小さく、撮影距離が大きいほど撮影可能幅を大きく定める。
【００６４】
次に、上記放射線画像撮影装置１００の作用について説明する。
【００６５】
ここでは、はじめに、放射線源１０の管球１０Ｋから発せられる放射線の放射中心軸Ｃｒが、各放射線撮影の際の長尺方向における撮影幅の中心を通るように、管球１０Ｋの向き、すなわち管球１０Ｋから発せられる放射線束φＨの向きを定めて放射線撮影を行う場合について説明する。そして、後半において、ヒール効果による照射ムラの大きさが小さくなるように、上記放射中心軸Ｃｒの通る位置を、各放射線撮影の際の長尺方向における撮影幅の中心から外すように、管球１０Ｋの向き、すなわち管球１０Ｋから発せられる放射線束φＨの向きの定める場合について説明する。
【００６６】
＜放射線撮影の初期設定＞
コンソール７０には、標準的な長尺の放射線画像を取得するための初期設定が予め記憶されている。この初期設定は３回の放射線撮影により長尺の放射線画像を取得するものであり、放射線源１０の管球１０Ｋから発せられる放射線の放射中心軸Ｃｒが、各放射線撮影の際の長尺方向における撮影幅の中心を通るように、管球１０Ｋの向き定めて放射線撮影を行うものである。
【００６７】
すなわち、この初期設定では、各放射線撮影の際の長尺方向における撮影幅の範囲内において陰極側の放射線束の照射幅が陽極側の放射線束の照射幅と一致するように、管球１０Ｋの向き定めて放射線撮影を行うものである。
【００６８】
＜ヒール効果による照射ムラの大きさの変動を考慮した放射線撮影＞
コンソール７０を操作して、被写体Ｍに関する情報である被写体情報や長尺の放射線画像を得る放射線撮影における撮影条件等の入力が行われる。コンソール７０に入力された被写体情報や撮影条件等は、撮影条件取得部８２や長尺撮影制御部８８に転送され入力される。
【００６９】
撮影可能幅取得部８４は、撮影条件取得部８２が取得した上記撮影条件を用い、放射線源１０から発せられる放射線を放射線検出面１６へ照射するときのヒール効果による放射線の照射ムラの大きさを考慮した長尺方向の撮影可能幅を求める。
【００７０】
より詳しくは、撮影可能幅取得部８４は、上記撮影条件下での順次放射線撮影によって得られる長尺の放射線画像について、この長尺の放射線画像を構成する各画像間の繋ぎ目（境界）にヒール効果による濃度段差が現われないようにするための、各放射線撮影毎の長尺方向の撮影可能幅を上記撮影条件から求める。
【００７１】
すなわち、上記撮影条件下での順次放射線撮影によって得られる長尺の放射線画像について、この長尺の放射線画像を構成する各画像間の繋ぎ目（境界）に生じるヒール効果による濃度差が所定以下となるように（目立たないように）、各放射線撮影毎の長尺方向の撮影可能幅を上記撮影条件から求める。
【００７２】
割付部８６は、入力された、撮影可能幅取得部８４で求められた撮影可能幅を示す情報に基づいて、各放射線撮影における長尺方向の撮影幅が撮影可能幅以下となるように、放射線撮影の撮影対象とする被写体Ｍ中の複数の領域Ｍ１、Ｍ２、・・・の割り付けを行う。
【００７３】
撮影可能幅取得部８４は、上記入力された撮影条件下において管球Ｋ１０から発せられ被写体Ｍ中の各領域に照射される放射線の照射ムラが、上記濃度段差を目立たなくする所定以下の大きさとなるように、各放射線撮影における撮影幅を定める。
【００７４】
ここでは、撮影可能幅取得部８４が定めた長尺方向の撮影可能幅が、初期設定のときの長尺方向の撮影可能幅よりも小さくなるので。割付部８６は、各放射線撮影における長尺方向の撮影幅を小さくして４回の放射線撮影により長尺の放射線画像が得られるように被写体Ｍ中の各領域に対応する撮影領域の割付け（フレーム割付け）を行うものとする。
【００７５】
長尺撮影制御部８８は、割付部８６で作成された割付データを入力し、４回の放射線撮影により長尺の放射線画像が得られるように、各放射線撮影における長尺方向の撮影幅や撮影位置を定めるように、各放射線撮影毎の放射線源１０および管球１０Ｋの配置、および放射線像検出器１５の位置等を制御する。
【００７６】
より具体的には、長尺撮影制御部８８は、コンソール７０や割付部８６から、４回の放射線撮影により長尺の放射線画像を得るときの、長尺方向の撮影幅や撮影位置、撮影領域の割付け、各放射線撮影における陰極側の放射線束と陽極側の放射線束の比率等を入力し、検出器移動部２０、線源配置部２５、管球首振部１９、および画像合成部３５等を制御する。
【００７７】
この長尺撮影制御部８８の制御によって得られた、被写体Ｍ中の各領域Ｍ１．Ｍ２・・・を示す各画像、および長尺撮影制御部８８から出力された上記放射線撮影に関する情報が画像合成部３５に入力され、画像合成部３５が各画像を合成して長尺の放射線画像を形成する。画像合成部３５が合成した長尺の放射線画像は表示器６０に表示される。
【００７８】
また、撮影可能幅取得部８４によって求められる長尺方向の撮影可能幅については、いくつかの撮影条件下での放射線撮影で得られた画像データ（ヒール効果によって生じた濃度分布を示す画像データ）を保存しておき、これらの画像データを用いて求めるようにしてもよい。例えば、撮影対象とする物体が無い場合に得られる素抜け画像の濃度分布を示す情報を種々の撮影条件下で取得し保存しておき、実際に順次放射線撮影を行って得られるであろう複数の画像中における素抜け画像となる部位（撮影対象とする物体がない画像部位）を対象として、画像の繋ぎ目（画像の境界）を間に挟んで隣り合う画素値のＪＮＤ値（Just Noticeable Difference index）の差の値が一定値以下となる長尺方向の幅を撮影可能幅として求めるようにしてもよい。ここで、「ある一定値以下」とは、２つの画像の繋ぎ目を間に挟んで隣り合う画素値のＪＮＤ値の差の値が、例えば０．０１以内に収まるように設定することが考えられる。
【００７９】
例えば、管球ターゲットの材質にＲｅ−Ｗ(タングステンにレニウムをドープした合金)を用い、管球から発せられる放射線の広がり角（管球の焦点サイズ）を１２度とし、撮影距離１００ｃｍのときの撮影可能幅を２０ｃｍ（撮影距離１２０ｃｍのときには撮影可能幅を３０ｃｍ）に定めて各放射線撮影を行うことにより、ヒール効果による照射ムラを所望のレベル以下に抑えることができる。
【００８０】
＜長尺の放射線撮影における照射ムラについて＞
以下、長尺の放射線撮影を行うときのヒール効果による放射線の照射ムラについて説明する。なお、ここでは、放射線透過率が１００％の透明な被写体を通して各放射線撮影を行う場合について説明する。
【００８１】
図６は、縦軸Ｅに放射線強度、横軸Ｙに長尺方向の位置を示す座標上に４回の放射線撮影で長尺の放射線画像を得るときに被写体全体に照射される放射線の強度分布ｆ１を示す図である。この図は、上記撮影条件の変更に応じて４回の放射線撮影で長尺の放射線画像を得るときの放射線の照射ムラを示すものである。
【００８２】
図７は、縦軸Ｅに放射線強度、横軸Ｙに長尺方向の位置を示す座標上に３回の放射線撮影で長尺の放射線画像を得るときに被写体全体に照射される放射線の強度分布ｆ２を示す図である。この図７は、上記撮影条件の変更によりヒール効果による放射線の照射ムラが上記初期設定における照射ムラより大きくなったにもかかわらず、初期設定と同じ３回の放射線撮影で長尺の放射線画像を得ようとしたときの放射線の照射ムラを示すものである。
【００８３】
図８は、縦軸Ｅに放射線強度、横軸Ｙに長尺方向の位置を示す座標上に１回の放射線撮影で放射線検出面上に照射される放射線の強度分布ｆｅを示す図である。この図は、１回の撮影で照射される放射線の強度分布ｆｅ中の使用範囲の設定に応じて放射線の照射ムラの大きさが変化する様子、すなわち各放射線撮影を行うときの撮影幅に応じて放射線の照射ムラの大きさが変動する様子を示すものである。
【００８４】
図７に示すように、３回の放射線撮影での各画像部分Ｇ２（後述の図９参照）の取得に用いられる放射線の強度分布は各撮影において略一致しており、ヒール効果による放射線強度分布の非対称性により各画像部分Ｇ２の繋ぎ目（境界）に対応する放射線の検出位置Ｋ２において強度分布の段差（強度分布の段差の大きさδ２）が生じている。
【００８５】
一方、図６に示すように、４回の放射線撮影での各画像部分Ｇ１（後述の図９参照）の取得に用いられる各放射線強度分布も各撮影において略一致しており、ヒール効果による放射線強度分布の非対称性により各画像部分Ｇ１の繋ぎ目（境界）に対応する放射線の検出位置Ｋ１において強度分布の段差（強度分布の段差の大きさδ１）が僅かに生じている。すなわち、４回の放射線撮影で長尺の放射線画像を得るときに各撮影領域に照射される放射線の強度分布ｆ１中に生じる段差の大きさδ１は、３回の放射線撮影で長尺の放射線画像を得るときに各撮影領域に照射される放射線の強度分布ｆ２中に生じるの段差の大きさδ２よりも小さい（δ１＜δ２）。
【００８６】
図８に示すように、上記４回の各放射線撮影毎に放射線源から発せられる放射線と、３回の各放射線撮影毎に放射線源から発せられる放射線とは、両方共に放射線の強度分布ｆｅを示す放射線中の一部の領域を使用したものであるが、画像部分（Ｇ１、Ｇ２）を得るために使用する放射線の強度分布ｆｅ中の領域の変更により、ヒール効果による放射線の照射ムラの大きさが変動している。
【００８７】
すなわち、３回の各放射線撮影で使用される放射線強度分布ｆｅ中の領域は図中符号Ｗ１で示す領域であり、ヒール効果による放射線の照射ムラの大きさはこの領域Ｗ１の両端における放射線強度の差の値α１で示される。一方、４回の各放射線撮影で用いられる放射線強度分布ｆｅ中の領域は図中符号Ｗ２で示すように上記範囲Ｗ１より幅の狭い範囲であり、照射ムラの大きさはこの領域Ｗ２の両端における放射線強度の差の値α２（α２＜α１）で示される。
【００８８】
図９は、４回の放射線撮影で得た長尺の放射線画像と３回の放射線撮影で得た長尺の放射線画像とを比較した様子を示す図である。
【００８９】
図９に示すように、４回の放射線撮影によって得られた幅の狭い４つの画像部分を合成して得た長尺の放射線画像ＧＧ１の方が、３回の放射線撮影によって得られた幅の広い３つの画像部分を合成して得られた長尺の放射線画像ＧＧ２よりも、隣接する画像部分の繋ぎ目（境界）に生じる濃度段差を小さくすることができる。
【００９０】
なお、図８を参照した上記説明において、放射線撮影で使用する放射線強度分布ｆｅ中の領域Ｗ１を小さくして領域Ｗ２とすることにより（すなわち、長尺方向の撮影幅を小さくすることにより）、ヒール効果による放射線の照射ムラの大きさを小さく（α２＜α１）できることを示した。しかしながら、放射線撮影で使用する放射線強度分布ｆｅ中の領域の大きさが一致していても（すなわち、長尺方向の撮影幅が一致していても）、放射線強度分布ｆｅ中の変動がより少ない領域、例えば領域Ｗ３を使用した方が、放射線の照射ムラの大きさをさらに小さく（α３＜α２＜α１）することができる。ただし、このような場合には、放射中心軸Ｃｒの位置は、各放射線撮影の撮影幅の範囲の長尺方向における中心から外れた領域に位置するように、すなわち、各放射線撮影の撮影幅の中心から外れた位置に位置することになる。
【００９１】
より詳しくは、放射線束中の領域Ｗ３は、陰極側の放射線束の照射範囲が陽極側の放射線束の照射範囲よりも大きくなるように定めたものであり、陰極側の放射線束の照射範囲を陽極側の放射線束の照射範囲よりも大きくするほど、領域Ｗ３におけるヒール効果による放射線の照射ムラを小さくすることができる。
【００９２】
このように、長尺の放射線画像を構成する画像部分の繋ぎ目を目立たなくするには、各放射線撮影の撮影幅の範囲内において、陰極側の放射線束の照射範囲が陽極側の放射線束の照射範囲よりもより大きくなるように管球１０Ｋの向きを定めて各放射線撮影が行われるようにすることが望ましい。
【００９３】
すなわち、放射線画像撮影装置１００によって長尺の放射線画像を得る放射線撮影を行う際には、撮影条件取得部８２、撮影可能幅取得部８４、割付部８６、および長尺撮影制御部８８等による各動作が、各放射線撮影において放射線が照射される被写体Ｍ中の各領域Ｍ１，Ｍ２・・・は、陰極側の放射線束の照射範囲が陽極側の放射線束の照射範囲よりも大きくなるように管球１０Ｋの向きを定めることを前提とすることが望ましい。
【００９４】
なお、陰極側の放射線束の照射範囲と陽極側の放射線束の照射範囲の比率は、例えば、陰極側の放射線束の比率が最大となるようにコントローラ７０が自動的に定めるようにしてもよいし、その比率を操作者がコントローラ７０へ入力するようにしてもよい。
【００９５】
以下、陰極側の放射線束の照射範囲と陽極側の放射線束の照射範囲との比率が等しい場合と、陰極側の放射線束の照射範囲が陽極側の放射線束の照射範囲よりも大きくなるように設定した場合とについて比較する。
【００９６】
図１０Ａは放射中心軸を検出面に対して直交させた状態で管球から発せられた放射線束を検出したときの強度分布を示す図である。すなわち、図１０Ａは、放射中心軸Ｃｒの位置を放射線像検出器１５の検出面Ｓｒの幅の中心に位置させるようにして管球１０Ｋから放射線束φＨを照射したときの様子を示す図である。
【００９７】
図１０Ｂは放射中心軸を検出面に対して傾斜させた状態で管球から発せられた放射線束を検出したときの強度分布を示す図である。すなわち、図１０Ｂは、放射中心軸Ｃｒの位置を放射線像検出器１５の検出面Ｓｒの幅の中心から外れた位置に位置させるように管球１０Ｋの向きを変更して放射線束φＨを照射したときの様子を示す図であり、放射線撮影の撮影幅の範囲内において、陰極側の放射線束の照射範囲が陽極側の放射線束の照射範囲よりも大きくなるように放射中心軸Ｃｒを位置させたときの様子を示す図である。
【００９８】
図１０Ａ、１０Ｂ中の下部の図は、放射線源１０の管球１０Ｋから発せられた放射線束φＨが、放射線像検出器１５の検出面Ｓｒに沿った（放射線像検出器１５の移動方向に沿った）領域ＳＳｒ上に照射される様子を示している。
【００９９】
図１０Ａ、１０Ｂ中の上部のグラフは、横軸Ｒに放射線像検出器１５の検出面Ｓｒに沿った領域ＳＳｒ上の位置、縦軸Ｅに領域ＳＳｒ上に照射された放射線の強度を示す座標軸上に、管球１０Ｋから発せられ領域ＳＳｒ上に照射された放射線束φＨの強度分布ｆｅを示す図である。
【０１００】
ここで、図１０Ａ、１０Ｂそれぞれについて、下部に示す領域ＳＳｒ上における放射線束φＨの照射される領域ＳＳｒ上の位置は、図１０Ａ、１０Ｂ中の上部のグラフに示す強度分布ｆｅにおける横軸Ｒ上の位置と対応している。
【０１０１】
図１０Ａに示すように、放射中心軸Ｃｒを放射線像検出器１５の検出面Ｓｒの幅の中心に位置させて放射線束φＨを領域ＳＳｒ上に照射すると、放射線像検出器１５の検出面Ｓｒには放射線束φＨの一部分である放射線束部分φＨＡｐが照射される。この放射線束部分φＨＡｐにおける放射線の強度分布はヒール効果の影響により一定ではなく、図１０Ａに示すように偏っている。すなわち、検出面Ｓｒの中心（放射中心軸Ｃｒ）から陰極側では放射線束の強度分布は略一定であるが、検出面Ｓｒの中心（放射中心軸Ｃｒ）から陽極側に離れるにしたがって放射線束の強度は単調減少している。
【０１０２】
一方、図１０Ｂに示すように、放射中心軸Ｃｒの位置を放射線像検出器１５の検出面Ｓｒの幅の中心から陽極側に外すようにして放射線束φＨを検出面Ｓｒに沿った領域ＳＳｒ上に照射すると、検出面Ｓｒには放射線束φＨ中の陰極側の部分である放射線束部分φＨＢｐが照射される。この放射線束部分φＨＢｐにおける放射線の強度分布は、ヒール効果の影響が少ない陰極側に属する放射線束を多く含むので略一定となる。すなわち、管球の陽極側に生じる放射線よりも陰極側に生じる放射線を多く含む放射線束部分φＨＢｐの方が、管球の陽極側に生じる放射線と陰極側に生じる放射線とを等しく含む放射線束部分φＨＡｐよりもヒール効果の影響が少ない。
【０１０３】
管球首振部１９によって管球１０Ｋの向きを変更し、管球１０Ｋから発せられる放射線束φＨのうちのヒール効果による照射ムラの小さい放射線束部分φＨＢｐを検出面ＳＳｒに照射することができるので、各放射線撮影において被写体Ｍ中の各領域へ放射線束部分φＨＢｐを照射することを前提にして撮影幅等を定めることができる。
【０１０４】
なお、放射線撮影を行うときには、各放射線撮影で撮影対象とする上記撮影幅に対応する被写体Ｍ中の領域以外の領域が被爆しないように、不要な放射線を放射線源１０の有するコリメータ１２で遮断することが望ましい。
【０１０５】
また、被写体Ｍ中の各領域を表す互に隣接する画像部分が、被写体Ｍ中の同一領域を互に共有するように、上記撮影幅を定めることが望ましい。すなわち、互に隣接する画像部分中の一部が重複するようにして（糊代領域を確保するようにして）各画像部分を得ることにより、複数の画像部分の合成をより容易に行なうことができる。
【０１０６】
なお、上記撮影可能幅取得部８４は、すでに説明したように、例えば、管球の焦点サイズが小さいほど撮影可能幅を小さく定めるものである。また、陽極側の放射線束を使用する場合には、この撮影可能幅取得部８４は、タングステンを管球ターゲットに適用するときの撮影可能幅の大きさを、モリブデンを管球ターゲットに適用するときの撮影可能幅の大きさよりも小さく定める。さらに、撮影可能幅取得部８４は、放射線の線量が大きいほど撮影可能幅を小さく定め、撮影距離が小さいほど撮影可能幅を小さく定める。
【０１０７】
また、上記実施の形態においては立位で長尺撮影を行う放射線画像撮影装置について説明したが、本発明はこれに限らず臥位で長尺撮影を行う放射線画像撮影装置にも適用できる。
【０１０８】
上記のように、本発明によれば、繋ぎ目の濃度段差が目立たない、品質の高い長尺の放射線画像を容易に取得することができる。
【符号の説明】
【０１０９】
１０    放射線源
１５    放射線像検出器
８２    撮影条件取得部
８４    撮影可能範囲取得部
８６    割付部
Ｍ    被写体
【図１】
2010094497.tif 000003
【図２】
2010094497.tif 000004
【図３】
2010094497.tif 000005
【図４】
2010094497.tif 000006
【図５】
2010094497.tif 000007
【図６】
2010094497.tif 000008
【図７】
2010094497.tif 000009
【図８】
2010094497.tif 000010
【図１０Ａ】
2010094497.tif 000011
【図１０Ｂ】
2010094497.tif 000012
【図９】
2010094497.tif 000013